【手続補正書】
【提出日】平成29年8月10日(2017.8.10)
【手続補正１】
【補正対象書類名】特許請求の範囲
【補正対象項目名】全文
【補正方法】変更
【補正の内容】
【特許請求の範囲】
【請求項１】
インクを吐出するための記録ヘッドと、
前記記録ヘッドの温度に関する情報を取得する取得手段と、
記録媒体を搬送する搬送手段と、
前記取得手段により取得された前記記録ヘッドの温度に関する情報に基づいて、前記記録ヘッドの温度が目標とする温度となるように前記記録ヘッドを加熱する加熱制御手段と、
先に記録が行われる第１の記録媒体への記録中に、前記第１の記録媒体と、前記第１の記録媒体の次に記録が行われる第２の記録媒体と、が重ならないように前記搬送手段による前記第１、第２の記録媒体の搬送を行う第１の記録モードと、前記第１の記録媒体への記録中に、前記第１の記録媒体の前記搬送方向における上流側の端部と、前記第２の記録媒体の前記搬送方向における下流側の端部と、を重ねながら前記第１、第２の記録媒体の搬送を行う第２の記録モードと、を少なくとも含む複数の記録モードの中から実行する１つの記録モードを選択する選択手段と、
前記選択手段により選択された記録モードに応じて前記記録ヘッドによる記録を行う記録手段と、を有するインクジェット記録装置であって、
前記加熱制御手段は、（ｉ）前記選択手段により前記第１の記録モードが選択された場合に前記第１の記録媒体への記録が終了してから前記第２の記録媒体に対する記録を開始するまでの間に前記記録ヘッドの加熱を一旦停止し、（ｉｉ）前記選択手段により前記第２の記録モードが選択された場合には、前記第１の記録媒体への記録が終了してから前記第２の記録媒体に対する記録を開始するまでの間、前記目標とする温度を保つように前記記録ヘッドの加熱を行うことを特徴とするインクジェット記録装置。
【請求項２】
前記加熱制御手段は、（ｉ）前記選択手段により前記第２の記録モードが選択され、前記取得手段により取得された前記情報が示す前記記録ヘッドの温度が第１の温度である場合に前記記録ヘッドの加熱を行わず、（ｉｉ）前記選択手段により前記第２の記録モードが選択され、前記取得手段により取得された前記情報が示す温度が前記第１の温度よりも低い第２の温度である場合に前記記録ヘッドの加熱を行うことを特徴とする請求項１に記載のインクジェット記録装置。
【請求項３】
前記加熱制御手段は、前記選択手段により前記第１の記録モードが選択された場合、前記取得手段により取得された前記情報が示す前記記録ヘッドの温度に関わらず、前記記録ヘッドの加熱を行わないことを特徴とする請求項１または２に記載のインクジェット記録装置。
【請求項４】
前記選択手段は、記録を行う記録媒体の種類が普通紙ではない場合、前記第１の記録モードを選択することを特徴とする請求項１から３のいずれか１項に記載のインクジェット記録装置。
【請求項５】
前記選択手段は、前記記録媒体のサイズがＡ４サイズおよびレターサイズでない場合、前記第１の記録モードを選択することを特徴とする請求項１から４のいずれか１項に記載のインクジェット記録装置。
【請求項６】
前記選択手段は、記録媒体上の単位領域に対して記録を行うための記録ヘッドの走査の回数が所定の回数以上である場合、前記第１の記録モードを選択し、前記所定の回数よりも少ない場合、他の記録条件に応じて前記第１、第２の記録モードのいずれかの記録モードを選択することを特徴とする請求項１から５のいずれか１項に記載のインクジェット記録装置。
【請求項７】
インクを吐出するための記録ヘッドと、
前記記録ヘッドの温度に関する情報を取得する取得手段と、
前記取得手段により取得された前記記録ヘッドの温度に関する情報に基づいて、前記記録ヘッドの温度が目標とする温度となるように前記記録ヘッドを加熱する加熱制御手段と、
第１の記録媒体上の第１の面に記録を行った後、前記第１の記録媒体上の前記第１の面の裏の第２の面に記録を行わずに前記第１の記録媒体と異なる第２の記録媒体上の第１の面に記録を行う第１の記録モードと、前記第１の記録媒体上の第１の面に記録を行った後、前記第１の記録媒体上の前記第２の面に記録を行う第２の記録モードと、を少なくとも含む複数の記録モードの中から実行する１つの記録モードを選択する選択手段と、
前記選択手段により選択された記録モードに応じて前記記録ヘッドによる記録を行う記録手段と、を有するインクジェット記録装置であって、
前記加熱制御手段は、（ｉ）前記選択手段により前記第１の記録モードが選択された場合、前記第１の記録媒体上の前記第１の面に対する記録が終了してから前記第２の記録媒体上の前記第１の面に対する記録を開始するまでの間、前記記録ヘッドの加熱を一旦停止し、（ｉｉ）前記選択手段により前記第２の記録モードが選択された場合、前記第１の記録媒体上の前記第１の面に対する記録が終了してから前記第１の記録媒体上の前記第２の面に対する記録を開始するまでの間、前記目標とする温度を保つように前記記録ヘッドの加熱を行うことを特徴とするインクジェット記録装置。
【請求項８】
前記加熱制御手段は、（ｉ）前記選択手段により前記第２の記録モードが選択され、前記取得手段により取得された前記情報が示す前記記録ヘッドの温度が第１の温度である場合、前記第１の記録媒体上の前記第１の面に対する記録が終了してから前記第１の記録媒体上の前記第２の面に対する記録を開始するまでの間に前記記録ヘッドの加熱を行わず、（ｉｉ）前記選択手段により前記第２の記録モードが選択され、前記取得手段により取得された前記情報が示す温度が前記第１の温度よりも低い第２の温度である場合、前記第１の記録媒体上の前記第１の面に対する記録が終了してから前記第１の記録媒体上の前記第２の面に対する記録を開始するまでの間に前記記録ヘッドの加熱を行うことを特徴とする請求項７に記載のインクジェット記録装置。
【請求項９】
前記加熱制御手段は、前記選択手段により前記第１の記録モードが選択された場合、前記取得手段により取得された前記情報が示す前記記録ヘッドの温度に関わらず、前記第１の記録媒体上の前記第１の面に対する記録が終了してから前記第２の記録媒体上の前記第１面に対する記録を開始するまでの間に前記記録ヘッドの加熱を行わないことを特徴とする請求項７または８に記載のインクジェット記録装置。
【請求項１０】
前記第２の記録モードは、前記第１の記録媒体上の前記第２の面に記録を行った後、前記第２の記録媒体上の前記第１の面に記録を行うように前記第１、第２の記録媒体の搬送を行う記録モードであって、
前記加熱制御手段は、前記選択手段により前記第２の記録モードが選択された場合、前記第１の記録媒体上の前記第２の面に対する記録が終了してから前記第２の記録媒体上の前記第１の面に対する記録を開始するまでの間に前記記録ヘッドの加熱を行うことを特徴とする請求項７から９のいずれか１項に記載のインクジェット記録装置。
【請求項１１】
インクを吐出するための記録ヘッドと、
前記記録ヘッドの温度に関する情報を取得する取得手段と、
前記取得手段により取得された前記記録ヘッドの温度に関する情報に基づいて、前記記録ヘッドの温度が目標とする温度となるように前記記録ヘッドを加熱する加熱制御手段と、
第１の記録モードと、記録媒体上の第１の面に対する記録が終了してから記録媒体上の第２の面に対する記録を開始するまでの時間が前記第１の記録モードよりも短い第２の記録モードと、を少なくとも含む複数の記録モードの中から実行する１つの記録モードを選択する選択手段と、
前記選択手段により選択された記録モードに応じて前記記録ヘッドによる記録を行う記録手段と、を有するインクジェット記録装置であって、
前記加熱制御手段は、（ｉ）前記選択手段により前記第１の記録モードが選択された場合に前記第１の面への記録が終了してから前記第２の面に対する記録を開始するまでの間に前記記録ヘッドの加熱を一旦停止し、（ｉｉ）前記選択手段により前記第２の記録モードが選択された場合には、前記第１の面への記録が終了してから前記第２の面に対する記録を開始するまでの間、前記目標とする温度を保つように前記記録ヘッドの加熱を行うことを特徴とするインクジェット記録装置。
【請求項１２】
前記第１の面は、第１の記録媒体上の面であって、
前記第２の面は、前記第１の記録媒体の次に記録が行われる第２の記録媒体上の面であることを特徴とする請求項１１に記載のインクジェット記録装置。
【請求項１３】
前記第１の面は、第１の記録媒体上の面であって、
前記第２の面は、前記第１の記録媒体上の前記第１の面の裏の面であることを特徴とする請求項１１に記載のインクジェット記録装置。
【請求項１４】
前記記録ヘッドは、インクを吐出するために用いられる熱エネルギーを発生する複数の記録素子と、前記複数の記録素子のそれぞれと対応する複数の吐出口と、を少なくとも備え、
前記加熱制御手段は、前記複数の記録素子に前記記録素子を駆動するための駆動パルスをインクを吐出しない程度に印加することにより前記記録ヘッドの加熱を行うことを特徴とする請求項１から１３のいずれか１項に記載のインクジェット記録装置。
【請求項１５】
インクを吐出するための記録ヘッドを用いて画像を記録するインクジェット記録方法であって、
前記記録ヘッドの温度に関する情報を取得する取得工程と、
記録媒体を搬送する搬送工程と、
前記取得工程により取得された前記記録ヘッドの温度に関する情報に基づいて、前記記録ヘッドの温度が目標とする温度となるように前記記録ヘッドを加熱する加熱制御工程と、
先に記録が行われる第１の記録媒体への記録中に、前記第１の記録媒体と、前記第１の記録媒体の次に記録が行われる第２の記録媒体と、が重ならないように前記搬送工程による前記第１、第２の記録媒体の搬送を行う第１の記録モードと、前記第１の記録媒体への記録中に、前記第１の記録媒体の前記搬送方向における上流側の端部と、前記第２の記録媒体の前記搬送方向における下流側の端部と、を重ねながら前記第１、第２の記録媒体の搬送を行う第２の記録モードと、を少なくとも含む複数の記録モードの中から実行する１つの記録モードを選択する選択工程と、
前記選択工程により選択された記録モードに応じて前記記録ヘッドによる記録を行う記録工程と、を有し、
前記加熱制御工程は、（ｉ）前記選択工程により前記第１の記録モードが選択された場合に前記第１の記録媒体への記録が終了してから前記第２の記録媒体に対する記録を開始するまでの間に前記記録ヘッドの加熱を一旦停止し、（ｉｉ）前記選択工程により前記第２の記録モードが選択された場合には、前記第１の記録媒体への記録が終了してから前記第２の記録媒体に対する記録を開始するまでの間、前記目標とする温度を保つように前記記録ヘッドの加熱を行うことを特徴とするインクジェット記録方法。
【請求項１６】
インクを吐出するための記録ヘッドを用いて画像を記録するインクジェット記録方法であって、
前記記録ヘッドの温度に関する情報を取得する取得工程と、
前記取得工程により取得された前記記録ヘッドの温度に関する情報に基づいて、前記記録ヘッドの温度が目標とする温度となるように前記記録ヘッドを加熱する加熱制御工程と、
第１の記録媒体上の第１の面に記録を行った後、前記第１の記録媒体上の前記第１の面の裏の第２の面に記録を行わずに前記第１の記録媒体と異なる第２の記録媒体上の第１の面に記録を行う第１の記録モードと、前記第１の記録媒体上の第１の面に記録を行った後、前記第１の記録媒体上の前記第２の面に記録を行う第２の記録モードと、を少なくとも含む複数の記録モードの中から実行する１つの記録モードを選択する選択工程と、
前記選択工程により選択された記録モードに応じて前記記録ヘッドによる記録を行う記録工程と、を有し、
前記加熱制御工程は、（ｉ）前記選択工程により前記第１の記録モードが選択された場合、前記第１の記録媒体上の前記第１の面に対する記録が終了してから前記第２の記録媒体上の前記第１の面に対する記録を開始するまでの間、前記記録ヘッドの加熱を一旦停止し、（ｉｉ）前記選択工程により前記第２の記録モードが選択された場合、前記第１の記録媒体上の前記第１の面に対する記録が終了してから前記第１の記録媒体上の前記第２の面に対する記録を開始するまでの間、前記目標とする温度を保つように前記記録ヘッドの加熱を行うことを特徴とするインクジェット記録方法。
【請求項１７】
インクを吐出するための記録ヘッドを用いて画像を記録するインクジェット記録方法であって、
前記記録ヘッドの温度に関する情報を取得する取得工程と、
前記取得手段により取得された前記記録ヘッドの温度に関する情報に基づいて、前記記録ヘッドの温度が目標とする温度となるように前記記録ヘッドを加熱する加熱制御工程と、
第１の記録モードと、記録媒体上の第１の面に対する記録が終了してから記録媒体上の第２の面に対する記録を開始するまでの時間が前記第１の記録モードよりも短い第２の記録モードと、を少なくとも含む複数の記録モードの中から実行する１つの記録モードを選択する選択工程と、
前記選択工程により選択された記録モードに応じて前記記録ヘッドによる記録を行う記録工程と、を有し、
前記加熱制御工程は、（ｉ）前記選択工程により前記第１の記録モードが選択された場合に前記第１の面への記録が終了してから前記第２の面に対する記録を開始するまでの間に前記記録ヘッドの加熱を一旦停止し、（ｉｉ）前記選択工程により前記第２の記録モードが選択された場合には、前記第１の面への記録が終了してから前記第２の面に対する記録を開始するまでの間、前記目標とする温度を保つように前記記録ヘッドの加熱を行うことを特徴とするインクジェット記録方法。